(57)【特許請求の範囲】
【請求項１】
遊技球が転動可能な遊技領域を有する遊技板を本体枠と透明板保持枠との間に設けた弾球遊技機において、前記本体枠は内側に前記遊技板が合致し得る大きさの枠状に形成され、該本体枠の一側縁に軸受片を前方に突出するように固設し、前記遊技板の一側縁に取着片を前方に突出するように固設し、該取着片に連結片を回転自在なるよう枢着し、さらに該連結片を前記軸受片に回転自在に枢着し、前記遊技板を前記本体枠内に組み込むに際しては該連結片を回転させて該連結片と前記取着片との枢着部を前記本体枠の内周縁に位置させ、その状態で該枢着部を支点として前記取着片を回転させるようにしたことを特徴とする弾球遊技機。
【請求項２】
遊技球が転動可能な遊技領域を有する遊技板を本体枠と透明板保持枠との間に設けた弾球遊技機において、前記本体枠は内側に前記遊技板が合致し得る大きさの枠状に形成され、該本体枠の一側縁に軸受片を前方に突出するように固設し、前記遊技板の一側縁に着脱自在に係合する遊技板ホルダを設け、該遊技板ホルダに取着片を前方に突出するように固設し、該取着片に連結片を回転自在なるよう枢着し、さらに該連結片を前記軸受片に回転自在に枢着し、前記遊技板を前記本体枠内に組み込むに際しては該連結片を回転させて該連結片と前記取着片との枢着部を前記本体枠の内周縁に位置させ、その状態で該枢着部を支点として前記取着片を回転させるようにしたことを特徴とする弾球遊技機。
【請求項３】
前記連結片と前記取着片との枢着部の相対的回転可能範囲を制限する回転規制部材を設けたことを特徴とする請求項１または２に記載した弾球遊技機。
【発明の詳細な説明】
【技術分野】
【０００１】
本発明は、パチンコ，アレンジボール，雀球等の弾球遊技機に関し、さらに詳しくは、遊技球が転動可能な遊技領域を有する遊技板を該遊技機内に組み付ける構造に関するものである。
【背景技術】
【０００２】
一般にパチンコ遊技機は、方形枠状の機枠の一側縁に本体枠（前面枠または遊技機本体とも称される）が水平面内で回転可能（開閉可能）なるように枢着され、該本体枠に遊技球が転動可能な遊技領域を有する遊技板が取り付けられ、さらに該本体枠の一側縁に透明板保持枠（ガラス枠または前面扉とも称される）が回転可能なるように枢着され、該本体枠の他側縁の前面側に位置するシリンダ錠に特定のキーを挿入し、該キーを一方向に回転することにより該シリンダ錠が解錠され、該透明板保持枠が前方に開放可能となる。また、前記キーを反対方向に回転操作することによっては前記本体枠が前方に開放可能となるように構成されている。
【０００３】
なお、近年、パチンコ遊技機は、リサイクルや経済性の観点から前記遊技板は交換可能に構成され、例えば下記特許文献１の図９〜図１２に示されたパチンコ遊技機では、該遊技機の前面側から操作できる遊技板装着部材（クランプ装置）を設け、遊技板を該遊技機の前面側から交換できるようにしている。
また下記特許文献２の図２には、遊技板と透明板保持枠とをワンセットとして交換し得るようにしたパチンコ遊技機が示されている。
【先行技術文献】
【特許文献】
【０００４】
【特許文献１】特開２０１０−２２５９１号公報
【特許文献２】特開２００５−６９４１号公報
【発明の概要】
【発明が解決しようとする課題】
【０００５】
ところで、近時の弾球遊技機は、遊技板の裏側に液晶表示装置や遊技制御基板を設けているほか、該液晶表示装置の前面にキャラクター等を出没させる可動装飾装置（ギミックと称される）を演出効果を増すために設けることが多い。このため、これらの装置が嵩張り、遊技板の裏側全体が大きく出っ張った形態となる。ところが、このように出っ張っていると、遊技板を組み付ける際にその出張部分が本体枠の内縁に衝突し、遊技板を交換する際の障害になるという問題がある。即ち、本体枠は前面から遊技板が収められるような枠状に形成されているが、出張部分が大きいと、該遊技板を回転させる際に、該遊技板の出張部分が該本体枠の内縁に衝突することとなるため、遊技板を本体枠に開閉可能に組み込むことができないという問題がある。
本発明はこのような問題点を解決しようとするものである。
【課題を解決するための手段】
【０００６】
そのために本発明は、遊技球が転動可能な遊技領域を有する遊技板を本体枠と透明板保持枠との間に設けた弾球遊技機において、前記遊技板の一側縁に取着片を固設し、該取着片に連結片の一端部を回転自在なるように枢着し、該連結片の他端部に前記透明板保持枠を回転自在なるように枢着してなることを特徴とする。
【０００７】
また、本発明は、遊技球が転動可能な遊技領域を有する遊技板を本体枠と透明板保持枠との間に設けた弾球遊技機において、前記遊技板の少なくとも一側縁に着脱自在に係合する遊技板ホルダを設け、該遊技板ホルダに取着片を固設し、該取着片に連結片の一端部を回転自在なるように枢着し、該連結片の他端部に前記透明板保持枠を回転自在なるように枢着してなることを特徴とする。
また本発明は上記弾球遊技機において、前記連結片と前記取着片との枢着部の相対的回転可能範囲を制限する回転規制部材を設けたことを特徴とする。
【発明の効果】
【０００８】
本発明に係る弾球遊技機では、遊技板を前記取着片と前記連結片との枢着部を支点として回転させることにより、遊技板を本体枠に衝突することなく装着でき、遊技板の裏側が大きく出っ張っていても自在に該遊技板を開閉することができる。
【図面の簡単な説明】
【０００９】
【図１】本発明に係る弾球遊技機の正面図。
【図２】図１の弾球遊技機の左上部の拡大図。
【図３】図１のＡ−Ａ線断面矢視図。
【図４】本発明に係る弾球遊技機の透明板保持枠の一側縁下部の斜視図。
【図５】本発明に係る弾球遊技機の機枠と本体枠との取着状態を示す斜視図。
【図６】本発明に係る弾球遊技機の遊技板の裏面の斜視図。
【図７】本発明に係る弾球遊技機の遊技板の前面の斜視図。
【図８】本発明に係る弾球遊技機の本体枠に遊技板が組み付けられる過程を示す斜視図。
【図９】図８の本体枠と遊技板との軸支部の水平断面拡大図。
【図１０】図９の作動状態図。
【図１１】図１０の要部の斜視図。
【図１２】本発明に係る弾球遊技機の本体枠に遊技板を組み付けたときの斜視図。
【図１３】本発明に係る弾球遊技機の本体枠に遊技板を組み付けたときの水平断面図。
【図１４】図１３の斜視図。
【図１５】本発明に係る弾球遊技機の本体枠に遊技板および透明板保持枠を取付ける過程の斜視図。
【図１６】本発明に係る弾球遊技機の透明板保持枠の軸支部の縦断面図。
【図１７】本発明に係る弾球遊技機の透明板保持枠に設けられる係脱機構の分解斜視図。
【図１８】本発明に係る弾球遊技機の施錠装置の分解斜視図。
【図１９】本発明に係る弾球遊技機の施錠装置の分解斜視図。
【図２０】本発明に係る弾球遊技機の施錠装置と遊技板の係合片とを示す斜視図。
【図２１】図２０の下半部の拡大図。
【図２２】本発明に係る弾球遊技機の施錠装置と透明板保持枠の係脱機構とを示す斜視図。
【図２３】図２２の下半部の拡大図。
【図２４】本発明に係る弾球遊技機の施錠装置の第１係合機構が係合解除作動したときの下半部の拡大左側面図。
【図２５】図２４の施錠装置の裏面図。
【図２６】本発明に係る弾球遊技機の施錠装置の第２係合機構が係合解除作動したときの下半部の拡大左側面図。
【図２７】図２６の施錠装置の裏面図。
【図２８】本発明に係る弾球遊技機の施錠装置の遊技板押出機構が作動したときの下半部の拡大左側面図。
【図２９】図２８の施錠装置の裏面図。
【図３０】本発明に係る弾球遊技機の施錠装置が本体枠と機枠との係合解除作動をしたときの下半部の拡大左側面図。
【図３１】図３０の施錠装置の裏面図。
【図３２】本発明に係る弾球遊技機の遊技板軸支機構の他の実施形態を示す斜視図。
【図３３】本発明に係る弾球遊技機の遊技板ホルダと遊技板の斜視図。
【図３４】図３３に示した遊技板ホルダを弾球遊技機の本体枠に設けたときの斜視図。
【発明を実施するための形態】
【００１０】
次に本発明に係る弾球遊技機の実施形態をパチンコ遊技機について図面に従い説明する。図１はこのパチンコ遊技機の正面を示す。また、図５にはその機枠（外枠とも称される）１に本体枠６（前面枠または遊技機本体とも称される）を取着したパチンコ遊技機の組立途中の状態を示す。図５に示したように、機枠１は遊技場の島台に固設される縦長方形状のもので、その一側縁の上下部に受片２，３が前方に向けて突設され、上部の受片２の上面に支軸２ａが突設され、下部の受片３の上面に支軸３ａが突設されている。なお、機枠１の他側縁の内面には上下間隔を離して一対の係合部材４ａ，４ｂ（図５では破断線で示す）が固設されている。
【００１１】
本体枠６は枠状に形成され、その前面下部に球受皿７，操作盤８，発射ハンドル９等が設けられ、裏側に景品球払出装置，景品球タンク，遊技制御回路基板ボックス（いずれも図示せず）等が設けられ、該本体枠６の一側縁の下部に受片１０が突設されている。そして、該受片１０に形成された軸受孔に前記支軸３ａを遊嵌することにより、該受片１０が前記受片３上に支持される。また、該本体枠６の一側縁の上部に受片１１が突設され、該受片１１に形成された軸受孔に前記支軸２ａを遊嵌することにより、該受片１１を前記受片２上に支持している。これにより該本体枠６は、該機枠１に前記支軸２ａ，３ａを支点として回転自在、即ち、前方へ開閉自在なるように枢着される。
【００１２】
なお、本体枠６は内側に遊技板２０が合致し得る大きさの枠状に形成され、図５に示したように該本体枠６の内周縁に該遊技板２０の一側縁が係合し得る鉤状部５ａが形成された係着部材５を固設している。また、後述する施錠装置を作動させるために、該本体枠６の他側縁（軸支部の反対側側縁、即ち、自由側縁）であって該本体枠６の前面に鍵孔が露呈するようにシリンダ錠１２が設けられる。
【００１３】
また、図２に示したように、前記受片１１に前記受片２の下方にＬ字状に折れ曲がって伸びるように軸受片１１ａが一体に形成され、該軸受片１１ａの下面に軸受体１１ｂが固設されている。そして、該軸受体１１ｂに後述する透明板保持枠１４に設けられた上部第１支軸１７の上端部が遊嵌し得る。また、該軸受片１１ａと相対するように該本体枠６の一側縁の下部寄りであって前記球受皿７よりも高位置に、図１，図５に示したように、軸受片１３が突設され、該軸受片１３の上面に下部第１支軸１３ａが上部第１支軸１７と相対するように一鉛直線上に形成される。
【００１４】
遊技板２０は、図６，図７に組立途中の状態のものを示したように、大きな開口２０ａが形成された略正方形の合成樹脂製の板体であって、該板体の裏側にケース２０ｂが突出状に固設され、該ケース２０ｂの背面部に開口２０ａと対面するように液晶図柄表示装置２０ｃが設けられる。なお、図６〜図１５に示した遊技板２０は組立途中であるので図示していないが、図１に示したように、該遊技板２０の前面に球誘導レール２０ｄに包囲されていて多数の障害釘が固植され遊技球が自由に転動可能な遊技領域２０ｅが形成され、該遊技領域２０ｅに入賞装置２０ｆ等が設けられるほか、ギミックと称される可動装飾装置２０ｇが設けられる。該可動装飾装置２０ｇは、ケース２０ｂ内に設けたモータ等の駆動機構を作動させることにより液晶図柄表示装置２０ｃの前面に出現したり、該ケース２０ｂ内に収容されて遊技者の視界から隠れたりすることで遊技者を楽しませる。
【００１５】
また、図７，図９に示したように、該遊技板２０の一側縁の下部に水平板状の取着片２１ａが前方に突出するように固設され、該取着片２１ａに下部第２支軸２２ａを固植する。そして、該下部第２支軸２２ａを連結片２２ｂの一端部に貫挿することにより該連結片２２ｂを該取着片２１ａの水平な下面にて回転自在なるように摺接させるとともに、該連結片２２ｂの上面に固植したピン状の回転規制部材２２ｃを該取着片２１ａに形成した円弧状孔２１ｂに遊嵌する。このため、該連結片２２ｂは該下部第２支軸２２ａを支点として水平面内で回転自在なるように設けられるとともに、この枢着部の回転可能範囲は該円弧状孔２１ｂによって２０度程度に制限される。なお、該連結片２２ｂの他端部（先端部）に中空筒状体２２ｅを固設し、該中空筒状体２２ｅに形成された透孔２２ｄが該連結片２２ｂの他端部を貫通する。
【００１６】
また、該遊技板２０の一側縁の上部にも前記取着片２１ａと同様の水平板状の取着片２３ａが前方に突出するように固設され、該取着片２３ａに上部第２支軸２４ａを固植し、該上部第２支軸２４ａを連結片２４ｂの一端部に貫挿している。これにより該取着片２３ａの水平な上面にて連結片２４ｂが回転自在なるように軸支される。そして、図示を省略するが、上記と同様の円弧状孔および回転規制部材を設けることにより、該連結片２４ｂの回転可能範囲が２０度程度に制限されるようにしている。また、該連結片２４ｂの他端部（先端部）に透孔２４ｅを開設している。
なお、２５は遊技板２０の他側縁（自由側縁）に固設した止金具で、該止金具に鉤状の係合部２５ａ，２５ｂを形成している。
【００１７】
透明板保持枠１４は、図１５に示したように、裏面下辺部にレール状の縁材１６ａが突設され、裏面上辺部には回転可能なるように一対の係合爪１５が設けられ、該縁材１６ａ上に二重の板ガラスからなる透明板１６が支持されるとともに、該透明板１６の上縁部に該係合爪１５を係合することで該透明板１６が着脱可能に取り付けられてなる。そして該透明板保持枠１４の一側縁の下部に図４に示したように軸受片１４ａを前方に突出するように固設し、該軸受片１４ａに透孔１４ｂが開設され、該透孔１４ｂに前記中空筒状体２２ｅが遊嵌される。該透明板保持枠１４の一側縁の上部にはツマミ１９を上下することにより上下動し得るように前記上部第１支軸１７が設けられる。図１６はこの部分の詳細を示し、該上部第１支軸１７は透明板保持枠１４の一側縁上部に設けられた軸受部１９ａにより上下動自在に支持され、コイルバネ１８が該第１支軸１７を上向きに付勢することで該第１支軸１７の上端部が突出し、該上端部が前記連結片２４ｂの透孔２４ｅを貫通し前記軸受片１１ａの軸受体１１ｂに遊嵌される。このように該透明板保持枠１４は、透孔１４ｂと中空筒状体２２ｅとからなる下方枢着部、および上部第１支軸１７と透孔２４ｅとからなる上方枢着部により、遊技板２０に対し開閉自在に枢着し得る。
【００１８】
なお、透明板保持枠１４の他側縁（自由側縁）に図１７に示した係脱機構３０が設けられる。該係脱機構３０は、透明板保持枠１４の裏面に水平断面Ｌ字状の基板３１が固設され、該基板３１の上下位置に係合部３２ａ，３２ｂを起立状に形成する一方、該基板３１に同Ｌ字状の取付板３３を固設している。一方、上下に長い板状の係脱部材３４の上下部に形成された長孔３５ａ，３５ｂにリベット３６ａ，３６ｂを遊嵌して該係脱部材３４を取付板３３の内面に上下に進退動自在なるように設け、該係脱部材３４に起立部３５を起立形成するとともに、長孔３５ａ，３５ｂ付近に下向き鉤状の係合片３７ａ，３７ｂを形成し、コイル状のスプリング３８を取付板３３と該係脱部材３４との間に張設することにより該係脱部材３４を下向きに付勢してなる。３３ａは取付板３３の上部内面に突設されたストッパで、該ストッパ３３ａに係脱部材３４の上端縁が当たることで該係脱部材３４の上動可能範囲が制限されるようにしている。
【００１９】
また、遊技板２０は、図９（同図では前記透明板保持枠１４は示していない。）に示したように、前記軸受片１３に設けられた下部第１支軸１３ａに前記連結片２２ｂの中空筒状体２２ｅの透孔２２ｄを合致させるとともに、図１６に示したように前記軸受片１１ａの軸受体１１ｂに前記連結片２４ｂの透孔２４ｅを合致させ、該透孔２４ｅに前記上部第１支軸１７を貫挿することで、該連結片２２ｂおよび連結片２４ｂを該下部第１支軸１３ａおよび上部第１支軸１７にそれぞれ回転自在に軸支することにより本体枠６に枢着される。こうすることで、該遊技盤２０と前記透明板保持枠１４とはともに本体枠６に開閉可能に枢着される。
そして、該遊技板２０を本体枠６内に収める（閉じる）に際しては、該連結片２２ｂおよび連結片２４ｂを図９に矢印で示したように回転させることにより、図１０，図１１に示したように下部第２支軸２２ａおよび上部第２支軸２４ａを本体枠６の内周縁に位置させた後、該第２支軸２２ａ，２４ａを支点としてさらに取着片２１ａ，２３ａを回転させることで図１２〜図１４に示したように該遊技板２０を本体枠６内に収め、前記鉤状部５ａの内側に該遊技板２０の一側縁を合致させる。このように、該遊技板２０は第１支軸１３ａ，１７を支点として回転し得る他、第２支軸２２ａ，２４ａを支点としても回転し得る。このため先ず第１支軸１３ａ，１７を支点として回転させて第２支軸２２ａ，２４ａを本体枠６の内周縁に位置させ、その後に該第２支軸２２ａ，２４ａを支点として回転させることで、該遊技板２０は図１３に矢印で示したような軌跡で移動するので、遊技板２０の裏側に出っ張ったケース２０ｂが該本体枠６の他側縁に衝突することなく該本体枠６の内周縁を通過させて該本体枠６の裏側に通すことができ、常に支障なく該遊技板２０を本体枠６内に組み付けることができる。
なお、回転規制部材２２ｃを設け、連結片２２ｂ，２４ｂと取着片２１ａ，２３ａとの枢着部はその相対的回転可能範囲が制限されるようにしたことから、この組み付け時に該連結片２２ｂ，２４ｂの無用な回転が抑えられ、この組み付け作業が簡易に行えるようにしている。
【００２０】
次に、本体枠６の他側縁（自由側縁）に固設される施錠装置４０の構成を図１８，図１９の分解斜視図に従い説明すると、該施錠装置４０は、上下方向に長い水平断面略コ字状の基板４１が本体枠６に固設され、上下方向に長い板状の作動杆４２の４箇所に長孔４３ａ〜４３ｄが開設され、該各長孔にリベット４４ａ〜４４ｄを遊嵌して該各リベットを基板４１に固植することにより、上下に摺動自在なるように設けられる。該基板４１の下端部寄りに起立形成された取付部４５にシリンダ錠１２が固設され、該シリンダ錠１２の後端部から突出した回転軸に二股状のカム片１２ｂが固設され、該カム片に作動杆４２の下端部寄りに形成された起立片４６が係合し得るように組み立てられる。
【００２１】
４８ａ，４８ｂは、前記係合部材４ａ，４ｂに係脱する上向き鉤状の係合片で、該係合片４８ａ，４８ｂは基板４１に形成された細長孔４９ａ，４９ｂに貫挿させて先端を裏方向に突出させるとともに、前記リベット４４ｂ、４４ｄを該係合片４８ａ，４８ｂの基部に形成された小長孔５０ａ，５０ｂに遊嵌することにより該小長孔５０ａ，５０ｂの形成範囲内にて上下に摺動可能に支持され、コイル状のスプリング５１ａ，５１ｂを該係合片４８ａ，４８ｂに張設することにより該係合片４８ａ，４８ｂを上向きに付勢している。そして、前記作動杆４２に形成された張出部５２ａ，５２ｂが該係合片４８ａ，４８ｂの基部に形成された起立部５３ａ，５３ｂと対峙し、前記作動杆４２が下方に摺動したとき該張出部５２ａ，５２ｂが起立部５３ａ，５３ｂに当たり該係合片４８ａ，４８ｂが下降する。
【００２２】
５５ａ，５５ｂは、前記係合部３２ａ，３２ｂに係脱する下向き鉤状の係合片で、該係合片５５ａ，５５ｂは基板４１に形成された切欠５６ａ，５６ｂから前方向に突出させるとともに、前記リベット４４ａ、４４ｃを該係合片５５ａ，５５ｂの基部に形成された小長孔５７ａ，５７ｂに遊嵌することにより該小長孔５７ａ，５７ｂの形成範囲内にて上下に摺動可能に支持され、コイル状のスプリング５１ａ，５８ｂを該係合片５５ａ，５５ｂに張設することにより該係合片５５ａ，５５ｂを下向きに付勢している。そして、前記作動杆４２に形成された張出部５９ａ，５９ｂが該係合片５５ａ，５５ｂの基部に形成された起立部６０ａ，６０ｂと対峙し、前記作動杆４２が上方に摺動したとき該張出部が該起立部６０ａ，６０ｂに当たり該係合片５５ａ，５５ｂを上昇させる。
【００２３】
また、６５ａ，６５ｂは、前記係合部２０ａ，２０ｂに係脱させるために設けられた上向き鉤状の係合片で、該係合片６５ａ，６５ｂは基板４１に形成された切欠６６ａ，６６ｂから前方向に突出するようにリベット６７ａ，６７ｂを透孔６８ａ，６８ｂに貫挿することにより回転自在に設けられ、コイル状のスプリング６９ａ，６９ｂを張設することにより該係合片６５ａ，６５ｂを上向きに付勢している。そして、前記作動杆４２に形成された張出部７０ａ，７０ｂが該係合片６５ａ，６５ｂの基部に形成された起立部７１ａ，７１ｂと対峙し、前記作動杆４２が上方に摺動したとき該張出部が起立部７１ａ，７１ｂに当たり該係合片６５ａ，６５ｂを下向きに回転させる。
なお、７２は作動杆４２の略中間部にて前向きに張り出すように形成された連動片で、該連動片７２は後述するように前記起立部３５と対峙し係脱機構３０を作動させる。
【００２４】
７５ａ，７５ｂは基板４１の後方拡張部７６ａ，７６ｂに設けた遊技板押出機構で、該各遊技板押出機構は、押出金具に押圧部７７ａ，７７ｂが遊技板２０の裏面と相対するように折り曲げ形成され、該押出金具の基部７８ａ，７８ｂに透孔７９ａ，７９ｂおよび該透孔を曲率中心とする円弧状孔８０ａ，８０ｂが形成され、該透孔７９ａ，７９ｂにリベット８１ａ，８１ｂを貫挿し、円弧状孔８０ａ，８０ｂにリベット８２ａ，８２ｂを貫挿することにより、後方拡張部７６ａ，７６ｂに該押出金具が該円弧状孔８０ａ，８０ｂの形成範囲内にて回転自在に支持され、コイル状のスプリング８３ａ，８３ｂを該押圧金具に張設することにより常態では該押圧部７７ａ，７７ｂが後退するように付勢している。そして、前記作動杆４２に形成された張出部８４ａ，８４ｂが基部７８ａ，７８ｂに形成された突部８８ａ，８８ｂと対峙する。このため作動杆４２が上方に摺動したとき該張出部が該突部８８ａ，８８ｂに当たり該押圧金具をスプリング８３ａ，８３ｂの張力に抗して回転させ押圧部７７ａ，７７ｂを前方に突出させる。なお、該押圧部７７ａ，７７ｂは遊技板２０の他側縁の裏面の上下部に相対する。
【００２５】
図２０〜図２３は該施錠装置４０の組立状態の斜視図であるが、図２０，図２１はこの斜視図に遊技板２０に固設された前記係合部２０ａ，２０ｂを併記したことで、該係合部２０ａ，２０ｂと前記係合片６５ａ，６５ｂとの係合位置関係が表示される。また、図２２，図２３はさらにこれに前記係脱機構３０を併記した図面であり、これによって前記係合部３２ａ，３２ｂと前記係合片５５ａ，５５ｂとの係合位置関係が表示される。
【００２６】
このように構成したパチンコ遊技機では、図５に示したように、前記機枠１内に本体枠６を収容した状態では、前記係合片４８ａ，４８ｂが前記係合部材４ａ，４ｂに係合し、スプリング５１ａ，５１ｂの弾性によりその係合状態が保持される。また、図１２，図１３に示したように、遊技板２０を本体枠６内に収容したとき該遊技板２０の他側縁に設けられた係合部２５ａ，２５ｂに前記係合片６５ａ，６５ｂを係合させることで、該遊技板２０が閉状態に固定され、スプリング６９ａ，６９ｂの弾性により該係合部２５ａ，２５ｂと該係合片６５ａ，６５ｂとの係合状態が保持される。以下、この係合機構のことを第２係合機構という。またこの係合状態では該遊技板２０の裏面に前記遊技板押出機構７５ａ，７５ｂの押圧部７７ａ，７７ｂが相対する。
【００２７】
また、図１に示したように、透明板保持枠１４を閉じたとき、係合部３２ａ，３２ｂに係合片５５ａ，５５ｂが係合し、スプリング５１ａ，５８ｂの弾性によりその係合状態が保持される。以下、この係合機構のことを第１係合機構という。またこの第１係合機構が作動すると同時に、係合片３７ａ，３７ｂが係合部２５ａ，２５ｂに係合し、スプリング３８の弾性によってその係合状態が保持される。このため、この構造では、該透明板保持枠１４が本体枠６に設けられた施錠装置４０に係合されるだけでなく、遊技板２０に対しても係合され、二重のロック状態となり、透明板保持枠１４を本体枠６に隙間なく堅固に密着させ、隙間、ガタツキを生じさせないので、不正の目的でピアノ線を挿入したり透明板保持枠１４がこじ開けられるのを防止することができる。
【００２８】
また、係合部２０ａ，２０ｂに対し下方から上向き鉤状の係合片６５ａ，６５ｂが係合し、上方から下向き鉤状の係合片３７ａ，３７ｂを係合させているとともに、係合片５５ａ，５５ｂを係合部３２ａ，３２ｂに係合させているので、本体枠６と遊技板２０と透明板保持枠１４とが強固に連結され、頑強なロック状態が実現され、セキュリティーが向上する。さらには、一つの係合部２５ａ，２５ｂに対して上下方向から係合片３７ａ，３７ｂ、係合片６５ａ，６５ｂを係合させるようにしたことにより、幅狭に構成することができ、嵩張らないので、その分、遊技板２０の遊技領域を大きく確保することができる。
【００２９】
一方、シリンダ錠１２の鍵孔に特定のキーを挿入し、該シリンダ錠を左方向に回転操作し、図２４に示したように、カム片１２ｂを起立片４６に係合させて作動杆４２を上動させると、張出部５９ａ，５９ｂが起立部６０ａ，６０ｂを介して係合片５５ａ，５５ｂを押し上げることで、前記第１係合機構が係合解除作動し、該係合部３２ａ，３２ｂと該係合片５５ａ，５５ｂとの係合が解除されると同時に、該作動杆４２に形成された連動片７２が起立部３５を介して係脱部材３４を押し上げることから、係合片３７ａ，３７ｂと係合部２５ａ，２５ｂとの係合が解除される。このため図１５に示したように透明板保持枠１４が開かれ、遊技板２０面に遊技球が詰まったときのようなトラブルに対処される。
【００３０】
そして、透明板保持枠１４を開くことにより連動片７２が起立部３５から離れるので、その状態では図２６に示したように該シリンダ錠１２をさらに同方向に回転操作し図２６に示したように作動杆４２をさらに上動できるようになる。即ち、図１７に示したように、長孔３５ａ，３５ｂの長さによって規制される係脱部材３４の上下動可能範囲は、作動杆４２の上下動可能範囲よりも狭く設定されていることから、透明板保持枠１４を開かなければシリンダ錠１２をさらに同方向に回転操作することできないようになっている。このため、透明板保持枠１４を開いた後にシリンダ錠１２をさらに同方向に回転操作すると、はじめて張出部７０ａ，７０ｂが起立部７１ａ，７１ｂに当接し、そのまま押し上げることで、前記第２係合機構が作動し、係合片６５ａ，６５ｂが下動することで係合部２０ａ，２０ｂとの係合、即ち、遊技板２０との係合が解除される。このように本発明では、透明板保持枠を開くことによりにより初めてシリンダ錠をさらに回転操作することを可能とする操作制限手段を設け、第２係合機構は第１係合機構を係合解除作動させて透明板保持枠１４を開かないと係合解除作動できないようにしたことにより、透明板保持枠１４だけを開けようとして一気に誤って遊技板２０をも係合解除してしまうのを防ぐことができる。なお、係脱部材３４の上下動可能範囲は長孔３５ａ，３５ｂの長さによって規制されるほか、前記取付板３３に突設されたストッパ３３ａが該係脱部材３４に当たることによっても規制される。
【００３１】
また、第２係合機構を係合解除作動させた後、図２９に示したように該シリンダ錠１２をさらに同方向に回転操作し、図２８に示したように作動杆４２をさらに上動させると、遊技板押出機構が作動して遊技板２０が前方に押し出される。即ち、作動杆４２がさらに上動するのに伴い張出部８４ａ，８４ｂが押圧金具７５ａ，７５ｂを回転させ押圧部７７ａ，７７ｂを前方に突出させ、遊技板２０の他側縁の裏面の上下部を前方に押圧し、該遊技板２０を本体枠６から遊離させる。そこで、前記ツマミ１９を操作し上部第１支軸１７を下動させ該上部第１支軸１７を軸受部１１ａから抜くことにより該遊技板２０を本体枠６から取り外すことができる。
【００３２】
また、透明板保持枠１４を開いた後、該透明板保持枠１４の係脱部材３４を本体枠６から離脱させた遊技板２０の係合部２５ａ，２５ｂに係合させ、この状態で前記ツマミ１９を操作し上部第１支軸１７を下動させ該上部第１支軸１７を軸受片１１ａから抜くことにより、透明板保持枠１４および遊技板２０をワンセットとして本体枠６から取り外すことができる。また、透明板保持枠１４と遊技板２０とをワンセットにて取り付けることもできる。このため、透明板保持枠１４と遊技板２０とをワンセットとして交換できるが、透明板保持枠１４だけ、或いは、遊技板２０だけを交換することも可能である。
【００３３】
なお、シリンダ錠１２の鍵孔に挿入した特定のキーによってシリンダ錠１２を右方向に回転操作し、図３０，図３１に示したように作動杆４２を下動させると、係合片４８ａ，４８ｂが下動し、係合部材４ａ，４ｂとの係合が解かれるので、図示しないが、本体枠６を支軸２ａ，３ａを中心として前方に回転させることで、機枠１内に収容されていた本体枠６を前方に開くことができる。
【００３４】
この弾球遊技機では、本体枠６の前面に遊技板２０を固定するための機構が施錠装置４０に組み込まれ、遊技板２０を施錠装置４０の係合片６５ａ，６５ｂと係合させることによって本体枠６に固定される。このため、省スペース化がなされ遊技板の遊技領域を十分に確保することができ、狭い遊技板面を有効活用できるようになる。また、透明板保持枠１４を開閉するために従来から設けられている施錠装置のシリンダ錠１２を回転操作するだけで遊技板２０を前面から簡単に離脱させることができる。また、透明板保持枠１４が二重にロックされることで、隙間のない堅固な閉状態が保持され、不正行為に対するセキュリティー対策が万全となる。
【００３５】
なお、図３２に示した実施形態は、第２支軸２２ａにつる巻バネ２２ｆを巻着し、該つる巻バネ２２ｆの一端を回転規制部材２２ｃに係止することで連結片２２ｂを矢印で示した一方向に付勢したもので、こうすることにより遊技板の組み付け途中における該連結片２２ｂの無用な回転が防止されるので、その組み付けがさらに容易になる。
【００３６】
以上の実施形態では、遊技板２０に直接取着片２１ａ，２３ａを固設した例を示したが、図３３，図３４に示したように遊技板ホルダ２０ｆの上端部および下端部にそれぞれ取着片２１ａ，２３ａを形成し、該遊技板ホルダ２０ｆに遊技板２０を着脱自在に保持し得るようにしてもよい。図示した遊技板ホルダ２０ｆは、横断面コ字形に形成された部分に係合軸２１ｉ，２１ｊが横架され、一方、遊技板２０の一側縁上下部に鉤状片２０ｋ，２０ｌが固設され、矢印で示したように該遊技板２０の一側縁を該遊技板ホルダ２０ｆ内に差し込んだ際に該係合軸２１ｉ，２１ｊに該鉤状片２０ｋ，２０ｌが係合し得るようにしている。また、２２ｇ，２２ｈは遊技板２０を該遊技板ホルダ２０ｆに差し込んだ際に該遊技板２０の一側縁に弾性的に当接することで該遊技板２０をガタ付きなく保持し得るようにするために該遊技板ホルダ２０ｆの内側面に設けた板バネである。このように遊技板ホルダ２０ｆを設けることによっては、遊技板２０を交換する際の作業性が一層向上する。
また、この実施形態では回転規制部材２２ｃを円弧状孔２１ｂに遊嵌することで連結片２２ｂ，２４ｂと取着片２１ａ，２３ａとの枢着部の相対的回転可能範囲が制限されるようにしたが、このような円弧状孔でなくても突起等の回転規制部材を何らかの障害物に当接させることで、この回転可能範囲が制限されるようにしてもよい。
【００３７】
なお、この実施形態では中空筒状体２２ｅに透孔１４ｂを遊嵌することで遊技板２０と透明板保持枠１４とを枢着したが、透明板保持枠１４に支軸を形成し、遊技板２０側に軸受孔となる透孔を形成してもよい。このように本発明では、透明板保持枠１４や遊技板２０の枢着部は、この実施形態に示したものに限らず、支軸と軸受孔との関係を反対に構成してもよい。
また、以上の実施形態では遊技板２０と透明板保持枠１４とをともに本体枠６に枢着したが、遊技板２０と透明板保持枠１４とは本体枠６に枢着することなく、遊技板２０と透明板保持枠１４とを枢着しワンセットとしたものを本体枠６に対し前方から真直に嵌め込むように構成してもよい。
【符号の説明】
【００３８】
１                  機枠
６                  本体枠
１１ａ，１３        軸受片
１３ａ              下部第１支軸
１４                透明板保持枠
１４ａ              軸受片
１４ｂ              透孔
１７                上部第１支軸
２０                遊技板
２０ｂ              ケース
２０ｃ              液晶図柄表示装置
２０ｆ              遊技板ホルダ
２１ａ，２３ａ      取着片
２１ｂ              円弧状孔
２２ａ              下部第２支軸
２４ａ              上部第２支軸
２２ｂ，２４ｂ      連結片
２２ｃ              回転規制部材
２２ｄ              透孔
２２ｅ              中空筒状体
２５                止金具
【図１】
0006474981.tif 000002
【図２】
0006474981.tif 000003
【図３】
0006474981.tif 000004
【図４】
0006474981.tif 000005
【図５】
0006474981.tif 000006
【図６】
0006474981.tif 000007
【図７】
0006474981.tif 000008
【図８】
0006474981.tif 000009
【図９】
0006474981.tif 000010
【図１０】
0006474981.tif 000011
【図１１】
0006474981.tif 000012
【図１２】
0006474981.tif 000013
【図１３】
0006474981.tif 000014
【図１４】
0006474981.tif 000015
【図１５】
0006474981.tif 000016
【図１６】
0006474981.tif 000017
【図１７】
0006474981.tif 000018
【図１８】
0006474981.tif 000019
【図１９】
0006474981.tif 000020
【図２０】
0006474981.tif 000021
【図２１】
0006474981.tif 000022
【図２２】
0006474981.tif 000023
【図２３】
0006474981.tif 000024
【図２４】
0006474981.tif 000025
【図２５】
0006474981.tif 000026
【図２６】
0006474981.tif 000027
【図２７】
0006474981.tif 000028
【図２８】
0006474981.tif 000029
【図２９】
0006474981.tif 000030
【図３０】
0006474981.tif 000031
【図３１】
0006474981.tif 000032
【図３２】
0006474981.tif 000033
【図３３】
0006474981.tif 000034
【図３４】
0006474981.tif 000035